(57)【要約】  被写体の動きに対応して位置ズレを抑制した分光画像を生成することを目的として、本発明に係る分光画像取得装置（１）は、複数のライン分光画像を取得するライン分光画像取得部（７）と、該ライン分光画像取得部（７）による撮影範囲を含み、ライン分光画像よりも少ない色信号を含む２次元のフレーム画像を取得するフレーム画像取得部（６）と、ライン分光画像取得部（７）により取得された各ライン分光画像と、フレーム画像取得部（６）の波長特性とに基づいて、比較画像をライン毎に推定する比較画像推定部と、該比較画像推定部により推定された各比較画像と、フレーム画像内における対応位置との位置ズレ量を検出するライン分光画像位置ズレ検出部と、該ライン分光画像位置ズレ検出部により検出された位置ズレ量に基づいて、フレーム画像内の対応位置に、各比較画像を推定するために使用された各ライン分光画像を当てはめる位置ズレ補正部とを備える。
2016110952.tif 000002
【特許請求の範囲】
【請求項１】
走査されるライン状の光を、その長さ方向の各位置において波長毎に分光して複数のライン分光画像を取得するライン分光画像取得部と、
該ライン分光画像取得部による撮影範囲を含み、前記ライン分光画像よりも少ない色信号を含む２次元のフレーム画像を取得するフレーム画像取得部と、
前記ライン分光画像取得部により取得された各前記ライン分光画像と、前記フレーム画像取得部の波長特性とに基づいて、比較画像をライン毎に推定する比較画像推定部と、
該比較画像推定部により推定された各前記比較画像と、前記フレーム画像内における対応位置との位置ズレ量を検出するライン分光画像位置ズレ検出部と、
該ライン分光画像位置ズレ検出部により検出された位置ズレ量に基づいて、前記フレーム画像内の対応位置に、各前記比較画像を推定するために使用された各前記ライン分光画像を当てはめる位置ズレ補正部とを備える分光画像取得装置。
【請求項２】
前記フレーム画像取得部が、基準となる前記フレーム画像と該基準となる前記フレーム画像に対して時間間隔をあけた他の１以上の前記フレーム画像とを取得し、
前記ライン分光画像位置ズレ検出部が、各前記比較画像を推定するために使用された各ライン分光画像と取得時点が最も近接する前記フレーム画像を選択して位置ズレ量を検出し、
該ライン分光画像位置ズレ検出部により選択された前記フレーム画像と、基準となる前記フレーム画像との間の位置ズレ量を検出するフレーム画像間位置ズレ検出部を備え、
前記位置ズレ補正部が、前記ライン分光画像位置ズレ検出部により検出された位置ズレ量と前記フレーム画像間位置ズレ検出部により検出された位置ズレ量とに基づいて、基準となる前記フレーム画像内の対応位置に、各前記比較画像を生成するために使用された各前記ライン分光画像を当てはめる請求項１に記載の分光画像取得装置。
【請求項３】
前記フレーム画像取得部が、前記ライン画像取得部による各前記ライン分光画像の取得時点に対応する時点で各前記フレーム画像を取得する請求項２に記載の分光画像取得装置。
【請求項４】
前記フレーム画像間位置ズレ検出部が、フレーム画像間の位置ズレを局所的に検出する請求項２または請求項３に記載の分光画像取得装置。
【請求項５】
前記フレーム画像取得部が、基準となる前記フレーム画像と該基準となる前記フレーム画像に対して時間間隔をあけて他の１以上の前記フレーム画像とを取得し、
前記基準となる前記フレーム画像に対する各前記比較画像の対応位置を検出する際に、基準となる前記フレーム画像および他のいずれかの前記フレーム画像の取得時刻と、各前記比較画像の取得時刻とから、各前記比較画像を推定するために使用された各前記ライン分光画像の取得時刻における前記フレーム画像の、基準となる前記フレーム画像に対する位置ズレ量を算出する位置ズレ量算出部を備え、
前記位置ズレ補正部が、前記ライン分光画像位置ズレ検出部により検出された位置ズレ量と、前記位置ズレ量算出部により算出された位置ズレ量とに基づいて、基準となる前記フレーム画像内の対応位置に、各前記比較画像を推定するために使用された各前記ライン分光画像を当てはめる請求項１に記載の分光画像取得装置。
【発明の詳細な説明】
【技術分野】
【０００１】
本発明は、分光画像取得装置に関するものである。
【背景技術】
【０００２】
副走査方向に配列されたＲ，Ｇ，Ｂの各ラインセンサおよび白黒のラインセンサを備え、副走査方向に原稿を送りながら、各センサから読み出しタイミングを変えた信号を選択して輝度信号を生成するとともに、生成された各輝度信号と白黒ラインセンサの信号との相関が最も高くなる輝度信号の元となったＲ，Ｇ，Ｂの信号を位置ずれ補正した信号として出力するスキャナ用の画像処理装置が知られている（例えば、特許文献１参照。）。
【先行技術文献】
【特許文献】
【０００３】
【特許文献１】特許第５３９３４４５号公報
【発明の概要】
【発明が解決しようとする課題】
【０００４】
この画像処理装置では、副走査方向に送られる原稿の送り速度ムラに起因する色ズレを抑制することはできるものの、被写体が動くカメラ用の画像処理装置としては、色ズレを抑制することはできない。【０００５】
本発明は上述した事情に鑑みてなされたものであって、被写体の動きに対応して位置ズレを抑制した分光画像を生成することができる分光画像取得装置を提供することを目的とする。
【課題を解決するための手段】
【０００６】
本発明の一態様は、走査されるライン状の光を、その長さ方向の各位置において波長毎に分光して複数のライン分光画像を取得するライン分光画像取得部と、該ライン分光画像取得部による撮影範囲を含み、前記ライン分光画像よりも少ない色信号を含む２次元のフレーム画像を取得するフレーム画像取得部と、前記ライン分光画像取得部により取得された各前記ライン分光画像と、前記フレーム画像取得部の波長特性とに基づいて、比較画像をライン毎に推定する比較画像推定部と、該比較画像推定部により推定された各前記比較画像と、前記フレーム画像内における対応位置との位置ズレ量を検出するライン分光画像位置ズレ検出部と、該ライン分光画像位置ズレ検出部により検出された位置ズレ量に基づいて、前記フレーム画像内の対応位置に、各前記比較画像を推定するために使用された各前記ライン分光画像を当てはめる位置ズレ補正部とを備える分光画像取得装置である。【０００７】
本態様によれば、ライン分光画像取得部により、走査方向に複数のライン分光画像が逐次取得される一方、フレーム画像取得部によりフレーム画像が取得される。各ライン分光画像は、走査によって逐次取得されるために取得時刻が異なるので、相互に位置ズレが発生する。一方、フレーム画像は、ライン分光画像よりも色信号が少ないので、全てのライン分光画像による撮影範囲と同じ撮影範囲をライン分光画像よりも短時間で撮影することができ、画像内におけるズレを抑えることができる。【０００８】
各ライン分光画像とフレーム画像取得部の波長特性とから、フレーム画像取得部であれば取得されるであろうライン状の比較画像が比較画像取得部により推定され、推定された各比較画像の前記フレーム画像内における対応位置との位置ズレ量がライン分光画像位置ズレ検出部により検出される。そして、位置ズレ補正部が、検出された位置ズレ量に基づいて、前記フレーム画像内の対応位置に、各前記比較画像を生成するために使用された各前記ライン分光画像を当てはめることにより、位置ズレを抑えた分光画像を取得することができる。【０００９】
すなわち、各ライン分光画像は取得時刻の相違により、被写体が動く場合等には位置ズレを発生するが、ズレが抑えられたフレーム画像を参照して位置ズレを補正するので、位置ズレを抑えた分光画像を容易に取得することができる。【００１０】
上記態様においては、前記フレーム画像取得部が、基準となる前記フレーム画像と該基準となる前記フレーム画像に対して時間間隔をあけた他の１以上の前記フレーム画像とを取得し、前記ライン分光画像位置ズレ検出部が、各前記比較画像を推定するために使用された各ライン分光画像と取得時点が最も近接する前記フレーム画像を選択して位置ズレ量を検出し、該ライン分光画像位置ズレ検出部により選択された前記フレーム画像と、基準となる前記フレーム画像との間の位置ズレ量を検出するフレーム画像間位置ズレ検出部を備え、前記位置ズレ補正部が、前記ライン分光画像位置ズレ検出部により検出された位置ズレ量と前記フレーム画像間位置ズレ検出部により検出された位置ズレ量とに基づいて、基準となる前記フレーム画像内の対応位置に、各前記比較画像を生成するために使用された各前記ライン分光画像を当てはめてもよい。【００１１】
このようにすることで、各比較画像と比較するフレーム画像として、取得時点が最も近接するフレーム画像を選択するので、位置ズレ量が小さくなり、容易に位置ズレ量を検出することができる。そして、基準となるフレーム画像と選択されたフレーム画像との位置ズレ検出は２次元のフレーム画像どうしの比較となるので、より容易に位置ズレ量を検出することができる。【００１２】
また、上記態様においては、前記フレーム画像取得部が、前記ライン画像取得部による各前記ライン分光画像の取得時点に対応する時点で各前記フレーム画像を取得してもよい。
このようにすることで、ライン分光画像から推定した比較画像と比較するフレーム画像を略同一時刻に取得するので、ライン分光画像位置ズレ検出部により検出する位置ズレ量が小さくなり、位置ズレ量の検出を容易にすることができる。【００１３】
また、上記態様においては、前記フレーム画像間位置ズレ検出部が、フレーム画像間の位置ズレを局所的に検出してもよい。
このようにすることで、時間経過によって撮影範囲内の被写体が局所的に変化しても、フレーム画像間の位置ズレを精度よく検出して、分光画像を精度よく取得することができる。【００１４】
また、上記態様においては、前記フレーム画像取得部が、基準となる前記フレーム画像と該基準となる前記フレーム画像に対して時間間隔をあけて他の１以上の前記フレーム画像とを取得し、前記基準となる前記フレーム画像に対する各前記比較画像の対応位置を検出する際に、基準となる前記フレーム画像および他のいずれかの前記フレーム画像の取得時刻と、各前記比較画像の取得時刻とから、各前記比較画像を推定するために使用された各前記ライン分光画像の取得時刻における前記フレーム画像の、基準となる前記フレーム画像に対する位置ズレ量を算出する位置ズレ量算出部を備え、前記位置ズレ補正部が、前記ライン分光画像位置ズレ検出部により検出された位置ズレ量と、前記位置ズレ量算出部により算出された位置ズレ量とに基づいて、基準となる前記フレーム画像内の対応位置に、各前記比較画像を推定するために使用された各前記ライン分光画像を当てはめてもよい。
このようにすることで、比較画像と比較して位置ズレ量を算出するためのフレーム画像の取得枚数を少なくすることができる。
【発明の効果】
【００１５】
本発明によれば、被写体の動きに対応して位置ズレを抑制した分光画像を生成することができるという効果を奏する。
【図面の簡単な説明】
【００１６】
【図１】本発明の第１の実施形態に係る分光画像取得装置を示す全体構成図である。
【図２】図１の分光画像取得装置の画像取得部に備えられるライン分光画像取得部を示す拡大図である。
【図３】図２のライン分光画像取得部により取得されるライン分光画像を説明する図である。
【図４】図１の分光画像取得装置に備えられる画像処理部を示すブロック図である。
【図５】図４の画像処理部に備えられる推定値算出部の動作を説明する図である。
【図６】図４の画像処理部に備えられる位置ズレ補正部を示すブロック図である。
【図７】本発明の第２の実施形態に係る分光画像取得装置において、参照画像とライン分光画像とを同期して取得する場合を説明する図である。
【図８】図７の分光画像取得装置の画像処理装置を示すブロック図である。
【図９】図１の分光画像取得装置の他の変形例を説明する図である。
【図１０】図１の分光画像取得装置の他の変形例を説明する図である。
【図１１】図１の分光画像取得装置の他の変形例を説明する図である。
【図１２】図１１の分光画像取得装置の画像処理装置を示すブロック図である。
【図１３】図１１の分光画像取得装置の参照画像間位置ズレ検出部を示すブロック図である。
【図１４】図１３の参照画像間位置ズレ検出部の他の変形例を示すブロック図である。
【図１５】図１の分光画像取得装置の他の変形例を説明する図である。
【発明を実施するための形態】
【００１７】
本発明の第１の実施形態に係る分光画像取得装置１について、図面を参照して以下に説明する。
本実施形態に係る分光画像取得装置１は、図１に示されるように、画像取得部２と、画像処理部３とを備えている。
【００１８】
画像取得部２は、被写体からの光を集光する撮像レンズ４と、該撮像レンズ４により集光された被写体からの光を２つの光路Ｌ１，Ｌ２に分岐する分岐部５と、該分岐部５により分岐された一方の光路Ｌ１に配置され、被写体の２次元的な像を撮影して参照画像（フレーム画像）を取得する参照画像取得部（フレーム画像取得部）６と、他方の光路Ｌ２に配置され、被写体のライン分光画像を取得するライン分光画像取得部７とを備えている。
【００１９】
分岐部５は、例えば、ハーフミラーである。
参照画像取得部６は、例えば、ＣＣＤあるいはＣＭＯＳイメージセンサ等のモノクロのエリアセンサを備えている。
【００２０】
ライン分光画像取得部７は、図２に示されるように、他方の光路Ｌ２上に、複数列にわたって配置されたスリット８と、該スリット８を列毎に開閉可能に設けられ、開かれたときに被写体からの光を通過させ、閉じられたときに被写体からの光を遮断する複数のシャッタ９と、該シャッタ９を挟んで被写体と反対側に配置され、入射された光を波長ごとに異なる回折方向に射出させる回折格子１０と、該回折格子１０により回折された光を検出する撮像素子１１とを備えている。
【００２１】
そして、ライン分光画像取得部７は、シャッタ９を全て閉じておき、いずれか１つのスリット８を開閉するシャッタ９を開くことにより、被写体からの光の内のライン状の光を通過させるとともに、開くシャッタ９をスリット８の配列方向、すなわち、スリット８の長さ方向（ライン方向）Ｘに直交する方向に、択一的に順次切り替えるようになっている。これにより、回折格子１０に入射されるライン状の光を通過させるスリット８がその配列方向に走査されるようになっている。
【００２２】
ライン分光画像取得部７は、このようにスリット８により走査を行う以外に、特開２０１２−５８０３７号公報の段落〔００５６〕、および図１から図３に開示されているライン状になったミラー等の光の反射体による走査でもよいし、またオプティカルメカニカルスキャナ（ＯＭＳ）、プッシュブルームスキャナ（ＰＢＳ）による走査でもよい。
【００２３】
回折格子１０は、ライン方向Ｘに全長にわたって配置され、いずれかのスリット８を通過した光が同一方向（回折格子１０の入射面に対して略直交する方向）から入射されるようになっている。回折格子１０に入射されたライン状の光は、回折格子１０によって、波長に従う方向に回折され、その回折範囲を網羅するように配置されている撮像素子１１に入射されるようになっている。
【００２４】
撮像素子１１は、ライン方向Ｘおよび該ライン方向Ｘに直交する方向に並んだ複数の画素を有している。ライン方向Ｘに配列された画素の数は、ライン分光画像の空間分解能を決定している。また、ライン方向Ｘに直交する方向に配列された画素の数は、ライン分光画像の波長分解能を決定している。
【００２５】
したがって、撮像素子１１によりライン毎に取得されるライン分光画像は、図３に示されるように、一方向にライン方向Ｘの輝度配列、他方向に波長方向の輝度配列を示す２次元的な画像となっている。そして、シャッタ９を開く位置を切り替えながら撮影することにより、図３に示されるライン分光画像が複数、順次取得されるようになっている。
ここで、参照画像取得部６のエリアセンサの撮影範囲は、ライン分光画像取得部７のスリット８が走査されることにより撮影される撮影範囲を包含するように設定されている。
【００２６】
画像処理部３は、図４に示されるように、画像取得部２により取得された参照画像および複数のライン分光画像が入力され、位置ズレが補正された分光画像を出力するようになっている。
画像処理部３は、撮影時の光源Ｌ（λ）および参照画像取得部６を含むフレーム画像取得部の波長特性Ｔ（λ）を記憶する記憶部１２を備えている。
これらの波長特性の関係を下式１に示す。
Ｓ（λ）＝Ｌ（λ）Ｔ（λ）        （１）
ここで、Ｓ（λ）は記憶部１２に記憶されている波長特性である。
【００２７】
また、画像処理部３は、図４に示されるように、推定値算出部１３および比較画像推定部１４を備えている。
推定値算出部１３は、図５に示されるように、入力されてきた各ライン分光画像のスリット８の長さ方向Ｘの各位置ｘｊにおける波長特性Ｒ（λ）（分光反射率）と、波長特性Ｓ（λ）（分光感度）とを乗算し、撮影した波長範囲にわたって積分する（下式２参照）ことにより、ｘｊにおける推定輝度値Ｖ（ｘｊ）を算出するようになっている。また、比較画像推定部１４は、推定値算出部１３により算出された全ての位置ｘｊにおける推定輝度値からライン状の比較画像を生成するようになっている。
【数１】
2016110952.tif 000003
【００２８】
また、画像処理部３は、図４に示されるように、位置ズレ検出部（ライン分光画像位置ズレ検出部）１５を備えている。位置ズレ検出部１５は、図５に示されるように、比較画像推定部１４により推定された比較画像と、参照画像との相関を求めることにより、参照画像中における比較画像の対応位置Ｙｉを特定するとともに、ラインの長さ方向Ｘに沿う位置ズレ量Δｘを算出するようになっている。
【００２９】
位置ズレ検出部１５における相関演算は、各比較画像と、参照画像内の各ラインとの間で行われ、最も高い相関値を有するラインが対応位置Ｙｉとして選択される。そして、選択された対応位置Ｙｉの各ラインの参照画像と比較画像との位置ズレ量Δｘが算出されるようになっている。
【００３０】
また、画像処理部３は、位置ズレ検出部１５により選択された参照画像内の対応位置Ｙｉに、同じく位置ズレ検出部１５により検出された位置ズレ量Δｘだけずらして、各前記比較画像を推定するために使用された各前記ライン分光画像を当てはめる位置ズレ補正部１６を備えている。位置ズレ補正部１６は、図６に示されるように、位置補正部１７と、フレーム分光画像保持部１９と、アドレス生成部１８とを備えている。
【００３１】
位置補正部１７は、ライン分光画像取得部７により取得されたライン毎のライン分光画像を位置ズレ検出部１５により検出された位置ズレ量ΔｘだけＸ方向にずらすようになっている。
フレーム分光画像保持部１９は、ライン分光画像取得部７により取得されたライン毎のライン分光画像の周波数バンド数（画素数）分設けられている。また、アドレス生成部１８は、位置ズレ検出部１５により特定された各ライン分光画像の参照画像内での対応位置Ｙｉの情報に基づいて、位置補正部１７において補正された各ライン分光画像のフレーム分光画像保持部１９でのアドレスを生成し、周波数バンド毎に対応するフレーム分光画像保持部１９の対応するアドレスに書き込んで保存するようになっている。これにより、位置ズレが補正されたライン分光画像が生成されるようになっている。
【００３２】
このように構成された本実施形態に係る分光画像取得装置１の作用について説明する。
本実施形態に係る分光画像取得装置１を用いて分光画像を取得するには、撮像レンズ４を被写体に向けて配置し、光源からの光の被写体における反射光を撮像レンズ４によって集光する。
【００３３】
集光された光は分岐部５により２つの光路Ｌ１，Ｌ２に分岐され、一方の光路Ｌ１に配置された参照画像取得部６により参照画像が取得され、他方の光路Ｌ２に配置されたライン分光画像取得部７により複数のライン分光画像が取得される。
参照画像取得部６はＣＣＤ等のエリアセンサによって構成されているので、各位置における位置ズレのない２次元的なモノクロ画像を一時に取得することができる。
【００３４】
また、ライン分光画像取得部７においては、スリット８を閉じているシャッタ９を択一的に順次開いていくことにより、開かれたスリット８を通過したライン方向Ｘに延びるライン状の光が回折格子１０により波長毎に分光され撮像素子１１によってライン分光画像がライン毎に取得される。このとき、スリット８が順次開かれることによって各ライン分光画像の取得時刻にはズレが生じ、被写体が動いている場合等には位置ズレが発生していくことになる。
【００３５】
そこで、画像取得部２により取得された参照画像および複数のライン分光画像が画像処理部３に入力されると、推定値算出部１３において、各ライン分光画像のスリット８の長さ方向Ｘの各位置ｘｊにおける波長特性（分光反射率）と、記憶部１２に記憶されている波長特性とが乗算され、位置ｘｊにおける推定輝度値が算出される。
さらに、画像処理部３の比較画像推定部１４においては、推定値算出部１３により算出された全ての位置ｘｊにおける推定輝度値からライン状の比較画像が構成される。
【００３６】
また、画像処理部３においては、位置ズレ検出部１５により、比較画像推定部１４により推定された比較画像と参照画像との相関が求められ、参照画像中における比較画像の対応位置Ｙｉが特定されるとともに、ラインの長さ方向Ｘに沿う位置ズレ量Δｘが算出される。
【００３７】
そして、画像処理部３においては、位置ズレ補正部１６において、検出された位置ズレ量Δｘに基づいて参照画像内の対応位置Ｙｉに、ライン分光画像が当てはめられる。これにより、スリット８を順次切り替えて取得された複数のライン分光画像間に位置ズレが生じていても、一時に取得された参照画像を参照してライン分光画像を位置合わせして行くので、被写体の動きに対応して位置ズレを抑制した分光画像を生成することができるという利点がある。
【００３８】
次に、本発明の第２の実施形態に係る分光画像取得装置について、図面を参照して以下に説明する。
本実施形態の説明において、上述した第１の実施形態に係る分光画像取得装置１と構成を共通とする箇所には同一符号を付して説明を省略する。
【００３９】
本実施形態に係る分光画像取得装置は、図７に示されるように、参照画像取得部６が、ライン分光画像によるライン分光画像を取得タイミングにほぼ同期して参照画像を複数取得する点、および、画像処理部２０における画像処理において第１の実施形態に係る分光画像取得装置１と相違している。
【００４０】
画像処理部２０は、図８に示されるように、参照画像取得部６により取得された複数の参照画像間の位置ズレ量を検出する参照画像間位置ズレ検出部（フレーム画像間位置ズレ検出部）２１をさらに備え、位置ズレ補正部１６が、参照画像間の位置ズレ量をも用いて補正するようになっている。
すなわち、ほぼ同時刻に取得された第１の参照画像と第１のライン分光画像とを用いて、第１の実施形態と同様にして第１の位置ズレ量Δｘ１を検出し、第１のライン分光画像を第１の参照画像の対応位置に保存する。
【００４１】
次に、ほぼ同時刻に取得された第２の参照画像と第２のライン分光画像とを用いて、第１の実施形態と同様にして第２の位置ズレ量Δｘ１を検出する。第２の参照画像と第２のライン分光画像との取得時刻が完全に一致している場合には、第２の位置ズレ量はゼロとなるので、この処理は、第２のライン分光画像を用いた比較画像と第２の参照画像との相関による対応位置Ｙｉの特定処理となる。
【００４２】
そして、参照画像間位置ズレ検出部２１により、第１の参照画像と第２の参照画像との間の第３の位置ズレ量Δｘ２を検出する。その後、位置ズレ補正部１６により、第２の位置ズレ量Δｘ１と第３の位置ズレ量Δｘ２とを合わせて位置ズレを補正し、第２のライン分光画像を第１の参照画像の対応位置Ｙｉに保存する。以下、第１の参照画像を基準画像として、これを繰り返すことにより、位置ズレを抑えた分光画像を取得することができる。
【００４３】
すなわち、本実施形態に係る分光画像取得装置によれば、ほぼ同時刻に取得された参照画像とライン分光画像との相関は取りやすく、また、２次元の参照画像どうしの相関も少ない誤差で行うことができるという利点がある。
【００４４】
なお、本実施形態においては、ライン分光画像の取得に同期して参照画像を取得することとしたが、これに代えて、ライン分光画像の取得とは非同期に参照画像を複数取得してもよい。この場合には、図９に示されるように、ライン分光画像位置ズレ検出部１５による位置ズレ量の検出は、取得時刻が最も近接している参照画像を選択して行うことにすればよい。
【００４５】
また、参照画像間位置ズレ検出部２１が、参照画像内の局所的な位置ズレを検出することにしてもよい。図１０に示す例では、第１のライン分光画像と第１の参照画像、第２のライン分光画像と第２の参照画像とがそれぞれ取得時刻が近いので、容易に位置ズレの検出を行うことができる。そして、第１の参照画像と第２の参照画像との間で局所的な位置ズレの検出を行う。
【００４６】
参照画像どうしの局所的な位置ズレは、各参照画像を複数の領域Ｐに区画して領域Ｐ毎に比較することにより行われる。これにより、各ライン分光画像の取得の間に被写体に変位が生じても、基準となる第１の参照画像へのライン分光画像の当てはめを行うための対応位置の特定を容易に行うことができるという利点がある。なお、領域Ｐは互いに重なるように設定してもよい。
【００４７】
また、参照画像取得部６が、隣接するライン分光画像の取得間隔よりも十分に大きい時間間隔をあけて２以上の参照画像を取得してもよい。
この場合には、ライン分光画像に対して対応する参照画像が取得されていないタイミングが存在する。分光画像取得装置は、図１１および図１２に示されるように、参照画像が取得されていない第２のライン分光画像のタイミングに仮想第２の参照画像を生成し、生成されたこの仮想参照画像に対して第２のライン分光画像を埋め込むことにより分光画像を生成している。
【００４８】
仮想参照画像を生成するため、図１２の参照画像間位置ズレ検出部２１は、図１３に示されるように、実際に取得した隣接した画像間の位置ズレ量を検出する隣接参照画像間位置ズレ検出部２２と、ここで検出された隣接参照画像間の位置ズレ量（Δｘｒｅｆ）、ライン分光画像の撮影時刻（ｔｌ）および隣接する２つの参照画像の撮影時刻（ｔｒｅｆ０、ｔｒｅｆ１）を用いて仮想参照画像を生成する隣接参照画像位置ズレ補間部２３とを備えている。隣接参照画像位置ズレ補間部２３では、下式により仮想参照画像の位置ズレ量Δｘ２を求める。
Δｘ２＝Δｘｒｅｆ（ｔｌ−ｔｒｅｆ０）/（ｔｒｅｆ１−ｔｒｅｆ０）
仮想参照画像を生成した後の処理は、参照画像がライン分光画像と対応して取得されている場合と同じである。
このようにすることで、参照画像の取得枚数を減らすことができる。
【００４９】
また、参照画像取得部６が、ライン分光画像取得部７によるライン分光画像の取得間隔より短い時間間隔で参照画像を取得し、参照画像間位置ズレ検出部２１が、隣接して取得された参照画像間の位置ズレ量を検出し、各ライン分光画像に対応する参照画像までの位置ズレ量を合成することにより、その位置ズレ量だけ位置補正した各ライン分光画像を、それらの参照画像における対応位置に当てはめて、位置ズレを抑制した分光画像を取得することができる。
【００５０】
この場合、図１４に示されるように、参照画像間位置ズレ検出部２１は、隣接した参照画像間のそれぞれの間の位置ズレ量を検出する隣接参照画像間位置ズレ検出部２２と、この隣接参照画像間位置ズレ検出部２２により検出されたそれぞれの位置ズレ量を加算する隣接参照画像間位置ズレ加算部２４とを有している。参照画像間位置ズレ検出部２１は、図１５に示されるように、隣接するそれぞれの参照画像間の位置ズレ量を検出し、これらを合算することにより基準の参照画像とライン分光画像に対応する参照画像との位置ズレ量を求めている。
【００５１】
また、上記形態においては、位置ズレ検出部１５における相関演算は、各比較画像と、参照画像内の各ラインとの間で行われることとしたが、これに代えて、スリット８の走査の情報（例えば、撮影間隔、走査位置等）に基づく参照画像中の予測位置を基準として相関演算を実施することにより、より少ないラインとの相関演算によって最も高い相関値を有するラインを検出することができ、演算処理にかかる時間を短縮することができる。
【００５２】
また、上記実施形態においては、参照画像としてエリアセンサにより取得されたモノクロ画像を例示したが、ライン分光画像よりも高速に取得可能な画像であれば、これに限定されるものではない。例えば、ライン分光画像よりも少ない数の色信号を含む画像であればよい。
【符号の説明】
【００５３】
１  分光画像取得装置
６  参照画像取得部（フレーム画像取得部）
７  ライン分光画像取得部
８  スリット
１４  比較画像推定部
１５  位置ズレ検出部（ライン分光画像位置ズレ検出部）
１６  位置ズレ補正部
２１  参照画像間位置ズレ検出部（フレーム画像間位置ズレ検出部）
【図１】
2016110952.tif 000004
【図２】
2016110952.tif 000005
【図３】
2016110952.tif 000006
【図４】
2016110952.tif 000007
【図５】
2016110952.tif 000008
【図６】
2016110952.tif 000009
【図７】
2016110952.tif 000010
【図８】
2016110952.tif 000011
【図９】
2016110952.tif 000012
【図１０】
2016110952.tif 000013
【図１１】
2016110952.tif 000014
【図１２】
2016110952.tif 000015
【図１３】
2016110952.tif 000016
【図１４】
2016110952.tif 000017
【図１５】
2016110952.tif 000018
【国際調査報告】
2016110952.tif 000019
2016110952.tif 000020
2016110952.tif 000021
2016110952.tif 000022